(57)【特許請求の範囲】
【請求項１】
パネル本体の下端部に閉塞部材を備え、前記パネル本体をデスク本体の反使用端側に配置した際に当該パネル本体の下端部と天板面との間に形成される隙間を前記閉塞部材で閉塞するものであって、
前記パネル本体内に下端側に開口する閉塞部材の収容部を設け、この収容部に前記閉塞部材を上下可動に収容したことを特徴とするデスクトップパネル。
【請求項２】
閉塞部材は、持ち上げ操作力を作用させることによって収容部内に没入し、持ち上げ操作力が解除された際に自重で降下するように組み付けられるとともに、前記収容部からの閉塞部材の抜脱を規制する規制部を設けている請求項１記載のデスクトップパネル。
【請求項３】
閉塞部材は、閉塞機能を主とする面板部と、上方への持ち上げ操作力を受け付けて前記面板部に伝える受付部とを備えている請求項２記載のデスクトップパネル。
【請求項４】
閉塞部材が規制部によって収容部からの抜脱を規制された状態で、受付部が収容部の入口付近に位置するように構成されている請求項３記載のデスクトップパネル。
【請求項５】
請求項１〜４記載のデスクトップパネルを、天板面との間に所定の隙間を形成しつつデスク本体の反使用端側に取り付け、前記隙間を閉塞部材で閉塞したものであって、デスク本体の反使用端側には天板とともに天板面を構成する配線カバーが着脱可能に位置し、前記閉塞部材はその下端部を配線カバーの天板面に対向させて配置されていることを特徴とするデスク。
【請求項６】
配線カバーが、突き合わせたデスク本体の反使用端にまたがる位置に配置され、閉塞部材が前記配線カバーの略中央に配置されている請求項５記載のデスク。
【発明の詳細な説明】
【技術分野】
【０００１】
本発明は、デスク本体の反使用端側に取り付けられるデスクトップパネル及びそれを取り付けたデスクに関するものである。
【背景技術】
【０００２】
従来より、この種のデスクトップパネルとして、パネル本体を天板面から上方へ所定距離離間した位置に配置し、その下方に隙間を設けたものが知られている（例えば、特許文献１参照）。
【０００３】
同文献のものは、パネル本体の下端両側部より一対の取付部が垂下して、その取付部の下端を机に取り付けた状態でパネル本体とデスク本体の上面との間に隙間を形成するものであり、この隙間を開閉すべく、パネル本体の下端に閉塞板を開閉可能に取り付けて、通常は完全遮蔽形としてプライバシーの保全を図り、必要に応じてパネル本体の下部隙間を開放することで、対面する人同士の対話や書類などの授受を可能にしている。また、デスクトップパネルの下方に位置する配線カバーは、一対の対向配置されたデスク本体にまたがって配置されており、かかる配線カバーを着脱する際にも、閉塞板を退避させることによって干渉を回避するようにしている。
【先行技術文献】
【特許文献】
【０００４】
【特許文献１】特開２００８−１１９１１６号公報
【発明の概要】
【発明が解決しようとする課題】
【０００５】
ところが、かかる特許文献のものは、デスクトップパネルの前面における閉塞板の回転軌跡内に書籍その他の障害物が存在する場合には障害物を閉塞板と干渉しない位置に退避させてからでないと閉塞板を回転させられず、また、配線カバーの上に閉塞板が位置する場合には閉塞板を持ち上げた状態に保持しないと配線カバーが閉塞板と干渉して取り外しができないなど、取り扱いに不便なものである。
【０００６】
本発明は、このような不具合を有効に解消することを目的としている。
【課題を解決するための手段】
【０００７】
本発明は、かかる目的を達成するために、次のような手段を講じたものである。
【０００８】
すなわち、本発明のデスクトップパネルは、パネル本体の下端部に閉塞部材を備え、前記パネル本体をデスク本体の反使用端側に配置した際に当該パネル本体の下端部と天板面との間に形成される隙間を前記閉塞部材で閉塞するものであって、前記パネル本体内に下端側に開口する閉塞部材の収容部を設け、この収容部に前記閉塞部材を上下可動に収容したことを特徴とする。
【０００９】
ここで天板面とは、天板そのものの上面のほか、デスク本体の反使用端側に配置されて上面を天板の上面と略面一にする配線カバーの上面も含まれる。
【００１０】
このように構成すれば、デスクトップパネルの前面に書籍その他の障害物が存在しても閉塞部材は真上に移動するだけであるため干渉することがなく、また、配線カバーの上に閉塞部材が位置する場合に配線カバーが閉塞部材と干渉すれば閉塞部材が真上に退避して配線カバーの取り外ししろが形成されることになる。このため、閉塞部材を退避させる操作を極力減らして良好な使い勝手を実現することができる。
【００１１】
収容部に対する閉塞部材の組付構造を簡素化するためには、閉塞部材は、持ち上げ操作力を作用させることによって収容部内に没入し、持ち上げ操作力が解除された際に自重で降下するように組み付けられるとともに、前記収容部からの閉塞部材の抜脱を規制する規制部を設けておくことが望ましい。
【００１２】
閉塞部材を持ち上げる際の初動を簡単に行うためには、閉塞部材は、閉塞機能を主とする面板部と、上方への持ち上げ操作力を受け付けて前記面板部に伝える受付部とを備えていることが好ましい。
【００１３】
受付部の存在で閉塞部材の外観が損なわれることを回避し、良好な操作性をも確保するためには、閉塞部材が規制部によって収容部からの抜脱を規制された状態で、受付部が収容部の入口付近に位置するように構成されていることが好適である。
【００１４】
上記のように構成されたデスクトップパネルを、天板面との間に所定の隙間を形成しつつデスク本体の反使用端側に取り付け、前記隙間を閉塞部材で閉塞したデスクにおいて、閉塞部材の効果がいかんなく発揮される態様としては、デスク本体の反使用端側に天板とともに天板面を構成する配線カバーが着脱可能に位置し、前記閉塞部材がその下端部を配線カバーの天板面に対向させて配置されているものが挙げられる。
【００１５】
特にこのようなデスクの場合、従来技術では閉塞板を回転させる必要があったが、本発明によれば、閉塞部材の直ぐ近くの天板面に書籍や筆記具等の障害物があっても閉塞部材をそのまま持ち上げることができ、また、配線カバーを持ち上げる際に閉塞部材と干渉しても閉塞部材を上動退避させながらそのまま配線カバーを取り出すことができるので、使い勝手が極めて良好なものとなり得る。
【００１６】
他の具体的実施の態様としては、配線カバーが、突き合わせたデスク本体の反使用端にまたがる位置に配置され、閉塞部材が前記配線カバーの略中央に配置されているデスクが挙げられる。
【発明の効果】
【００１７】
本発明は、以上説明した構成であるから、デスクトップパネルの下端面と天板面との隙間を塞ぐ閉塞部材をデスクトップパネルの下端部に付帯させても、天板上の障害物によって閉塞部材の作動が妨げられることがなく、閉塞部材の存在によって下方の配線カバーの取り扱いが妨げられる不具合も解消することができる。このため、完全遮蔽形としてプライバシーの保全を図る使用態様と、デスクトップパネルの下部隙間を開放して対面する人同士の対話や書類などの授受、通線処理等を行う使用態様とを簡単、適正に切り替えることを可能した、優れたデスクトップパネル及びこれを取り付けたデスクを提供することが可能となる。
【図面の簡単な説明】
【００１８】
【図１】本発明の一実施形態に係るデスクトップパネルを適用したデスクの一部破断した斜視図。
【図２】同デスクの背面図。
【図３】同デスクの一部をデスクトップパネルの一部とともに部分的に破断して示す側断面図。
【図４】同デスクトップパネルに付随する閉塞部材の作用説明図。
【図５】同デスクの変形例を示す図。
【発明を実施するための形態】
【００１９】
以下、本発明の一実施形態を、図面を参照して説明する。
【００２０】
図１及び図２は、この実施形態のデスクトップパネル２を適用したデスク１を示している。このデスク１は、左右の脚体１１ａ、１１ｂに天板１２を支持させるとともに、天板１２の後方すなわちデスク本体１Ａの反使用端１Ｒ側に、左右の脚体１１ａ、１１ｂに支持させて配線カバー１３を配置している。配線カバー１３は、デスク本体１Ａの反使用端１Ｒ側に天板１２とともに天板面Ａ（１３ａ）を構成するように、かつ図３に示すごとくデスク本体１Ａに対して着脱可能なように設けられている。
【００２１】
そして、図１に示すデスク本体１Ａの反使用端１Ｒ側において、左右の脚体１１ａ、１１ｂ間にデスクトップパネル２を取り付けている。このデスクトップパネル２は、パネル本体２Ａの両側部２１ａ、２１ｂに一対のブラケット２２を有し、その下端側に設定した取付部２２ａを下方に垂下させて、その取付部２２ａをデスク本体１Ａを構成する左右の脚体１１ａ、１１ｂに取り付け、取付部２２ａのうち天板面Ａ上に表出する部分をカバー２２ｂで覆っているものである。このデスクトップパネル２は、図３に示すように、厚み寸法ｄの半分（ｄ／２）程度をデスク本体１Ａの反使用端１Ｒから後方に持ち出した位置に配置されている。
【００２２】
しかして、前記パネル本体２Ａと天板面Ａ（配線カバー１３の上面１３ａ）との間には、前記カバー２２ｂの上下寸法に略対応した隙間Δが生じ、この隙間Δを塞ぐ必要がある。
【００２３】
そこで本実施形態は、かかる隙間Δを閉塞すべく、パネル本体２Ａの下端部２３に可動の閉塞部材３を付帯させている。この閉塞部材３は、図２及び図３に示すように、閉塞機能を主とする面板部３１と、この面板部３１の上方に一体的に設けたチャネル状の係り合い部３２とを具備し、係り合い部３２の底面３２ａが上方への持ち上げ操作力Ｆを受け付けて前記面板部３１に伝えるための受付部３２Ｘに設定されるとともに、係り合い部３２の起立片３３に外向き突起３４が形成されている。閉塞部材３の素材はスチール板でも樹脂でも構わない。
【００２４】
一方、パネル本体２Ａは、例えばペーパーコア２４の下縁２４ａに枠材４を有し、これらペーパーコア２４及び枠材４を両側から面材２５でサンドイッチした構造からなるもので、前記枠材４は下向きに開口している。そして、その枠材４の内空を、前記閉塞部材３を収容するための収容部４１として利用している。枠材４の下縁には、内側に折り曲げることによって内向き突起４２が形成してある。
【００２５】
そして、前記閉塞部材３の係り合い部３２を構成する起立片３３を、外向き突起３４が枠材４の内向き突起４２を通過した位置（規制位置）Ｐに収容することによって、外向き突起３４と内向き突起４２とで閉塞部材３の抜脱を規制する規制部５を構成するとともに、この規制位置Ｐから起立片３３が枠材４の上壁４３に突き当たる図４の位置Ｑまで閉塞部材３が上動し、閉塞部材３の下方に開口ＯＰを形成し得るようにしている。
【００２６】
すなわち、閉塞部材３は、受付部３２Ｘに持ち上げ操作力Ｆが作用することによって図４に示すように収容部４１内に没入し、持ち上げ操作力Ｆが解除されることによって自重で図３に示す規制位置Ｐまで降下することができるものである。閉塞部材３の上下動作は、係り合い部３２と枠材４との緩やかな嵌め合いによって起立姿勢を大きく崩さずに行い得るものとなっており、図３に示す規制位置Ｐで前記受付部３２Ｘは収容部４１の入口４１ａ付近に位置するように設定されている。
【００２７】
デスク本体１Ａとの関係で言えば、閉塞部材３はその下端部３１ａを、当該閉塞部材３が属するデスク本体１Ａに設けられている配線カバー１３上の天板面Ａ（１３ａ）に対向させて配置され、降下時に当該天板面Ａ（１３ａ）に略接するように設定されている。
【００２８】
以上のように、本実施形態におけるデスクトップパネル２は、パネル本体２Ａの下端部２３に閉塞部材３を備え、前記パネル本体２Ａをデスク本体１Ａの反使用端１Ｒ側に配置した際に当該パネル本体２Ａの下端部２３と天板面Ａ（１３ａ）との間に形成される隙間Δを前記閉塞部材３で閉塞するものである。そして本実施形態は、前記パネル本体２Ａ内に下端側に開口する閉塞部材３の収容部４１を設け、この収容部４１に前記閉塞部材３を上下可動に収容するようにしている。このため、閉塞部材３が降下しているときには隙間Δを適切に塞いで隙間Δからの書類の落下等を適切に防ぐなど執務環境を整えることができ、隙間Δを開放する必要があるときにはデスクトップパネル２の前面に図４に想像線で示すように書籍その他の障害物Ｚが存在しても閉塞部材３を真上に移動させるだけでよいため干渉することがなく、また、図３に示すように配線カバー１３の上に閉塞部材３が位置する場合に配線カバー１３が閉塞部材３と干渉すれば閉塞部材３が真上に退避して、取り外ししろが自動的に形成されることになる。このため、閉塞部材３を退避させる操作を極力減らして良好な使い勝手を実現することができる。
【００２９】
また、閉塞部材３は、持ち上げ操作力Ｆを作用させることによって収容部４１内に没入し、持ち上げ操作力Ｆが解除された際に自重で降下するように組み付けられるとともに、前記収容部４１からの閉塞部材３の抜脱を規制する規制部５を設けているので、収容部４１に対する閉塞部材３の組付構造を簡素化することができ、閉塞部材３のパネル本体２Ａからの抜脱も規制するため取り扱いも簡便となる。
【００３０】
さらに、閉塞部材３は、閉塞機能を主とする面板部３１と、上方への持ち上げ操作力Ｆを受け付けて前記面板部３１に伝える受付部３２Ｘとを備えているので、面板部３１自体に持ち上げ操作力Ｆを加えることは難しい場合にも、このような受付部３２Ｘを設けておくことで、面板部３１を持ち上げる際の初動を簡単に行うことができる。
【００３１】
加えて、閉塞部材３が規制部５によって収容部４１からの抜脱を規制された状態で、受付部３２Ｘが収容部４１の入口４１ａ付近に位置するように構成されているので、受付部３２Ｘが閉塞部材３の外観を損なうことを回避することができ、しかも、パネル本体２Ａの下端部２３に指を当てて僅かに操作するだけでよいため、良好な操作性も確保することができる。
【００３２】
特に、以上のように構成されたデスクトップパネル２を備えたデスク１は、天板面Ａ（１３ａ）との間に所定の隙間Δを形成しつつデスク本体１Ａの反使用端１Ｒ側に取り付け、前記隙間Δを閉塞部材３で閉塞したものであり、デスク本体１Ａの反使用端１Ｒ側には天板１２とともに天板面Ａ（１３ａ）を構成する配線カバー１３が着脱可能に位置し、前記閉塞部材３はその下端部３１ａを配線カバー１３の天板面Ａ（１３ａ）に対向させて配置されているものであって、このような構造の場合、特許文献等では閉塞板を回転させる必要があったが、本実施形態によれば、閉塞部材３の直ぐ近くの天板面Ａ（１３ａ）に書籍や筆記具等の障害物があっても閉塞部材３をそのまま持ち上げることができ、また、配線カバー１３を持ち上げる際に閉塞部材３と干渉しても閉塞部材３を上動退避させながらそのまま配線カバー１３を取り出すことができるので、使い勝手が極めて良好となり得る。
【００３３】
なお、各部の具体的な構成は、上述した実施形態のみに限定されるものではない。
【００３４】
例えば、図５に示すように、配線カバー１３が、突き合わせたデスク本体１Ａ、１Ａ´の反使用端１Ｒ、１Ｒ´にまたがる位置に配置され、閉塞部材３が下端部を前記配線カバー１３の略中央に対向させて配置されている場合にも、前記実施形態の図３の場合と同様、閉塞部材３が上下に可動であることにより、閉塞部材３の存在によって下方の配線カバー１３の取り外しが妨げられることがなく、閉塞部材３の近くの障害物Ｚによって閉塞部材３の作動が妨げられる不具合も解消される。
【００３５】
また、閉塞部材を収容部に上下可動に収容する態様は、閉塞部材を上昇位置に仮保持するための簡素な仮保持機構、或いは上下方向の複数個所に仮保持するための簡素な仮保持機構を設ける態様で実施してもよい。
【００３６】
その他の構成も、本発明の趣旨を逸脱しない範囲で種々変形が可能である。
【符号の説明】
【００３７】
１…デスク
１Ａ…デスク本体
１Ｒ…反使用端
２…デスクトップパネル
２Ａ…パネル本体
３…閉塞部材
５…規制部
１２…天板
１３…配線カバー
２３…下端部
３１…面板部
３１ａ…下端部
３２Ｘ…受付部
４１…収容部
４１ａ…入口
Ａ…天板面
Ｆ…持ち上げ操作力
Δ…隙間
【図１】
0005610423.tif 000002
【図２】
0005610423.tif 000003
【図３】
0005610423.tif 000004
【図４】
0005610423.tif 000005
【図５】
0005610423.tif 000006